(57)【要約】【課題】  ディスクの図柄の抽選態様をより多様化することにより、遊技の興趣をより一層高めることのできるパチンコ機の特別図柄表示装置を提供すること。【解決手段】  多数の図柄が表面周方向に沿って整列配置されるとともに回転自在に設けられた５つの回転ディスク８０ａ〜ｅを備え、互いに隣り合う３つの前記回転ディスク８０ａ〜ｅの回転軸８２ａ〜ｅが相互に三角形の頂点に位置されるように配置するとともに、これらの３つの回転ディスク８０ａ〜ｅの回転軸８２ａ〜ｅを結んだ三角形の内部に位置する各回転ディスク８０ａ〜ｅの図柄が特定の態様に揃うことが特別遊技状態に移行する条件とされる３つの判定区域７２〜７４を設けた。    【選択図】    図２
2009189675.tif 000002
【特許請求の範囲】
【請求項１】
多数の図柄が表面周方向に沿って整列配置されるとともに回転自在に設けられた少なくとも４つ以上の回転ディスクが備えられ、
互いに隣り合う３つの前記回転ディスクの回転軸が相互に三角形の頂点に位置されるように配置されるとともに、これらの３つの回転ディスクの回転軸を結んだ三角形の内部に位置する各回転ディスクの前記図柄が特定の態様に揃うことが特別遊技状態に移行する条件とされる判定区域が設けられ、
該判定区域が少なくとも２つ以上設けられたことを特徴とするパチンコ機の特別図柄表示装置。
【請求項２】
前記各回転ディスクの前記回転軸を結んだ表示ライン部を設けたことを特徴とする請求項１に記載のパチンコ機の特別図柄表示装置。
【請求項３】
前記表示ライン部に、点灯・点滅自在な表示器を設けたことを特徴とする請求項１または請求項２に記載のパチンコ機の特別図柄表示装置。
【請求項４】
特別遊技状態の種類を示す抽選表示装置を設けたことを特徴とする請求項１から請求項３のいずれかに記載のパチンコ機の特別図柄表示装置。
【発明の詳細な説明】
【技術分野】
【０００１】
本発明はパチンコ機の特別図柄表示装置に関する。
【背景技術】
【０００２】
従来のパチンコ機には、図柄等が変動表示される複数の表示部を備えた特別図柄表示装置が備えられているものが多くある。この特別図柄表示装置は、遊技盤上に取り付けられる可変大入賞口が開放されて多数の遊技球の入賞が可能となるいわゆる「大当たり」と呼ばれる特別遊技状態となるための開始条件が満たされたかどうかを遊技者に対して表示するものである。具体的には、例えば、図柄を表示する複数の表示部を備えた特別図柄表示装置において、始動入賞口などへの遊技球の入賞を条件に、これらの表示部の各図柄が変動を開始し、各表示部が特定の図柄に揃った場合（例えば、全ての表示部が数字の「７」に揃った場合）に特別遊技状態となり、可変大入賞口が所定時間の開放を所定回数繰り返す。
【０００３】
ここで、従来の特別図柄表示装置において、いわゆる「ドラム式」のように、複数のドラムの回転軸を遊技盤と平行に一直線にそろえたドラムに表示部が回転される特別図柄表示装置のほかに、「ディスク式」のように、複数の回転ディスクの回転軸を遊技盤に直交する方向に設けて遊技盤と平行にディスク状の表示部が回転される特別図柄表示装置もあった。そして従来のディスク式の特別図柄表示装置は、単に３つのディスクをその回転軸を三角形の頂点上に配置させ、三角形の中心に向けられた部位の各ディスクの図柄が揃った場合に特別遊技状態とするものであった（例えば、特許文献１参照。）。
【０００４】
【特許文献１】特開平３−２５１２７８公報（図１、図２、図３）
【発明の開示】
【発明が解決しようとする課題】
【０００５】
従来のディスク式の特別図柄表示装置では、三角形の中心に向けられた部位の３つのディスクの図柄が揃うか否かにより特別遊技状態への移行を判定しているが、３つのディスクの図柄のうち前述した三角形の中心に向けられた部位の図柄のみによって特別遊技状態が定められるため、判定の前段階である抽選動作が単調となりやすく、抽選の際の遊技の興趣がさほど高まらないという問題があった。
【０００６】
本発明は前述した従来のパチンコ機の特別図柄表示装置の問題点を解消するものであり、ディスクの図柄の抽選態様をより多様化することにより、遊技の興趣をより一層高めることのできるパチンコ機の特別図柄表示装置を提供することを目的とする。
【課題を解決するための手段】
【０００７】
以上の課題を解決するために、本発明の採った手段を以下に説明する。本発明のパチンコ機の特別図柄表示装置は、多数の図柄が表面周方向に沿って整列配置されるとともに回転自在に設けられた少なくとも４つ以上の回転ディスクが備えられ、互いに隣り合う３つの前記回転ディスクの回転軸が相互に三角形の頂点に位置されるように配置されるとともに、これらの３つの回転ディスクの回転軸を結んだ三角形の内部に位置する各回転ディスクの前記図柄が特定の態様に揃うことが特別遊技状態に移行する条件とされる判定区域が設けられ、該判定区域が少なくとも２つ以上設けられたことを特徴とするものである（請求項１）。
【０００８】
このように、４つ以上の回転ディスクにおいて、互いに隣り合う３つの回転ディスクの回転軸を結んだ内部に位置する図柄が揃うことが特別遊技状態に移行する条件とされる判定区域を少なくとも２つ以上設けることにより、遊技者は、複数以上の判定区域において図柄が揃うか否かという従来のディスク式の特別図柄表示装置には無いスリル感を得ることができる。また、複数以上の判定区域の図柄が揃う態様と特別遊技状態の種類の対応関係を種々定めることができるので、より複雑な演出効果をもたらすことができる。
【０００９】
各回転ディスクの配列は、前述のように２つ以上の判定区域が設けられるようにすれば良く、種々の態様とすることができる。例えば、４つの回転ディスクの場合には菱形状に配置したり、５つの回転ディスクの場合には「Ｗ」字状に配置したりすることができる。
【００１０】
また、前記各回転ディスクの前記回転軸を結んだ表示ライン部を設けることとしても良い（請求項２）。
【００１１】
表示ライン部を設けることにより、複数以上の判定区域をそれぞれ明確に区分けして明示することができ、複数以上の判定区域が設けられる場合にそれぞれの判定区域を区別し難いという問題を減少させることができる。
【００１２】
また、前記表示ライン部に、点灯・点滅自在な表示器を設けることとしても良い（請求項３）。
【００１３】
点灯・点滅自在な表示器を設けることにより、複数以上の回転ディスクが備えられて複雑な演出効果を得ることができる特別図柄表示装置であっても、リーチ、当たりなどのゲーム進行状況を容易に理解することができる。また、判定区域毎に点灯または点滅させることにより判定区域毎のリーチ、当たりなどをより容易に理解することもできる。
【００１４】
また、これらの回転ディスクとともに、特別遊技状態の種類を示す抽選表示装置を設けることとしても良い（請求項４）。
【００１５】
このような抽選表示装置を別に設けることにより、複数以上の回転ディスクが備えられて複雑な演出効果を得ることができる特別図柄表示装置であっても、当たりの種類を容易に理解することができる。
【発明の効果】
【００１６】
本発明のパチンコ機の特別図柄表示装置は前述のように構成されており、複数以上の判定区域において図柄が揃うかどうかに遊技者を注目させることができ、遊技の興趣をより一層高めることができる。
【発明を実施するための最良の形態】
【００１７】
次に、本発明のパチンコ機の特別図柄表示装置の実施の形態を図を参考にして詳細に説明する。図１に示すように、本発明に係る特別図柄表示装置４０は、パチンコ機３の遊技盤６上に取付固定されており、遊技領域１３内に弾発されて上方より落下されてきた遊技球が、始動入賞口１６に入賞すると各回転ディスク８０ａ〜ｅが回転を開始し、回転が停止された際の各回転ディスク８０ａ〜ｅの図柄が特定の態様に揃った場合に「大当たり」などの特別遊技状態に移行させるパチンコ機３の役物の一種である。
【００１８】
［パチンコ機全体の構成］
パチンコ機３の機枠１は、パチンコ機３の本体２を遊技ホールの設置場所（いわゆる「島設備」）に固定するためのものであり縦長長方形状の木製の枠部材から構成されている。機枠１の前面には、機枠１に対してヒンジ機構によって開閉自在に取付固定された前面枠４が設けられている。
【００１９】
また前面枠４のさらに前面側上部には、ガラス扉枠５が開閉自在に取付固定されている。ガラス扉枠５の背面側には遊技盤６が配設されており、ガラス扉枠５の内側に取り付けられたガラス板を透過して遊技盤６を視認することができる。また、前面枠４の前面側下部には、球受け皿８などが備え付けられた前面扉７が開閉自在に取付固定されている。
【００２０】
遊技盤６の前面には、遊技盤６の周辺付近に全体がほぼ円形状に配設されたガイドレール１２が取り付けられており、このガイドレール１２に囲まれた区画が遊技領域１３とされている。遊技領域１３のほぼ中央には数字の図柄が表面に記載された５つの回転ディスク８０ａ〜ｅを有する特別図柄表示装置４０が配設されている。  
【００２１】
また、特別図柄表示装置４０の下方には、遊技球が入賞することによって回転ディスク８０ａ〜ｅを回転させる始動入賞口１６が設けられている。始動入賞口１６には、起立状態または逆ハ字状態に可変する一対の開閉翼片１７ａ，１７ｂが設けられている。開閉翼片１７ａ，１７ｂは、通常時には起立状態とされ、一方、特別の遊技状態の場合には逆ハ字状態に可変されて、始動入賞口１６への遊技球の入賞が通常時よりも容易となるように設けられている。
【００２２】
始動入賞口１６の下方には大型の可変大入賞口装置１８が配設されている。可変大入賞口装置１８には正面視横長矩形状の開口部１９が備えられており、この開口部１９に対して、開口部１９下辺を中心軸として前方側に傾動可能な開閉扉２０が取り付けられている。この開閉扉２０は、ゲーム進行が通常時の普通遊技状態においては閉じられており、一方、特別遊技状態に移行した場合には開放されて、遊技球が多数入賞可能となるように構成されている。遊技盤６には、これらの他に一般入賞口３４や多数の釘などが取り付けられている。
【００２３】
また、前述した前面扉７には、遊技球を発射装置に供給するための球受け皿８の他に、球受け皿８の余剰球を貯留するための余剰球受け皿９や、発射装置を駆動して遊技球を遊技領域１３に向けて発射するための操作ハンドル１０が取り付けられている。
【００２４】
［特別図柄表示装置の構成］
次いで、本発明に係る特別図柄表示装置４０について詳細に説明する。図２から図４に示すように、特別図柄表示装置４０には、中央付近に５つの回転ディスク８０ａ〜ｅが、遊技盤６に対して直交する方向にその回転軸８２ａ〜ｅを向けて、回転自在に取り付けられている。そして、これらの回転ディスク８０ａ〜ｅのうち、いずれかの向き合う３つの回転ディスク８０ａ〜ｅが判定区域７２〜７４内の図柄を揃えた場合に特別遊技状態とされるものである。
【００２５】
特別図柄表示装置４０の本体４２には、本体４２の外周部４３を構成する上部６７、下部５０及び両側部４４ａ，ｂと、これらから背面側に引き込まれた位置に形成された取付部７０とが備えられている。
【００２６】
両側部４４ａ，ｂの中央付近には、両側部４４ａ，ｂの外側を通過する遊技球が特別図柄表示装置１０内に流入可能に開口されたワープ入口４６ａ，ｂが形成されている。ワープ入口４６ａ，ｂの下方には、下部５０に設けられるスロープ５２方向に遊技球を導くワープ通路４７ａ，ｂが連設されている。ワープ通路４７ａ，ｂのさらに下方には、スロープ５２に連設されるとともに下方にいくに従って内側に向かって緩やかに湾曲形成された誘導通路４８ａ，ｂが形成されており、ワープ通路４７ａ，ｂからの遊技球の大半がスロープ５２に誘導されるように構成されている。
【００２７】
図２及び図３に示されるように、スロープ５２には、下部５０の左右両端付近に渡って、前後に３列のスロープ部５４〜５６が形成されている。また、スロープ５２は透明ないし半透明に形成されており、底面側のルーレットの絵柄を透視可能に設けられている。誘導通路４８ａ，ｂからは、最後列の第３スロープ部５４が連設されており、誘導通路４８ａ，ｂから流下する遊技球の多くは、この第３スロープ部５４に導かれるように設けられている。
【００２８】
第３スロープ部５４は正面視において、中央がやや高く、左右両端からやや内側においてやや低くなるように緩やかに湾曲して形成されている。よって、第３スロープ部５４に誘導された遊技球は、中央には止まり難く、一方、左右に集まり易くなっている。また、第３スロープ部５４の背面側には上端が一直線状の立壁部５７が設けられている。そして、第３スロープ部５４中央の背面寄りの高く形成された部位には、後述する下部５０の中央に設けられた入賞口誘導窓口５１に連通するワープ流下口５８が開口されている。また、左右両端やや内側の低く形成された部位には、第３スロープ部５４の前方下方に設けられた第２スロープ部５５に遊技球を誘導する誘導溝６０が形成されている。このようにして、第３スロープ部５４に流下された遊技球はワープ流下口５８には流下し難く、誘導開口部６０に流下され易く設けられている。
【００２９】
第３スロープ部５４の前面側には、第３スロープ部５４に対して前後方向において平行に、かつ下方に位置するように形成された第２スロープ部５５が設けられている。第２スロープ部５５は正面視において、左右両端からほぼ等間隔に４箇所がやや低く設けられ、これらの部位に第２スロープ部５５の前方下方に設けられた第１スロープ部５６に遊技球を誘導する誘導溝６０が設けられると共に、これらのそれぞれの誘導溝６０間の中央がやや高く設けられている。そして、中央には入賞口誘導窓口５１に連通するワープ流下口５８が設けられている。
【００３０】
第２スロープ部５５の前面側には、第２スロープ部５５に対して前後方向において平行に、かつ下方に位置するように形成された第１スロープ部５６が設けられている。第１スロープ部５６は正面視において、左右両端から下方に向けて緩やかに湾曲形成され、左右両端からほぼ３分の１の位置を最下部として、さらに中央に向かって上方に緩やかに湾曲されて形成されている。そして、左右の最下部の位置の計２箇所にそれぞれ特別図柄表示装置４０の下方に遊技球を誘導する誘導溝６０が設けられている。そして、第１スロープ部５６中央には始動入賞口１６に向けて遊技球を誘導する誘導溝６０が設けられている。そしてまた、第１スロープ部５６の下方の下部パネル６１の中央には、ワープ流下口５８に連通するとともに始動入賞口１６の直上に位置するように形成された入賞口誘導窓口５１が設けられている。
【００３１】
また、後述する左右のサイドレンズ６２ａ，ｂの内側には、始動入賞口１６に入賞した最大４個の遊技球の保留状態を表示する保留ランプ６３ａ，ｂがそれぞれ設けられている。保留ランプ６３ａは開閉翼片１７ａ，ｂが閉じた状態において始動入賞口１６に遊技球が入賞した際に点灯するように設けられ、一方、保留ランプ６３ｂは開閉翼片１７ａ，ｂが開いた状態において始動入賞口１６に遊技球が入賞した際に点灯するように設けられている。
【００３２】
また、下部５０の左右両端付近のスロープ５２上方には、それぞれ適宜に点灯して特別図柄表示装置４０を装飾するサイドレンズ６２ａ，ｂが設けられている。また、ワープ入口４６ａ，ｂの上方には、適宜に点灯して同様に装飾効果を有する椰子の木状の点灯部６４ａ，ｂ及びペガサス状の点灯部６５ａ，ｂが設けられている。また、特別図柄表示装置４０の上部６７にも、同様に適宜に点灯して装飾効果を有する点灯部が設けられている。また、点灯部６５ａ，ｂはリーチ時や確率変動時に動いてペガサスが飛んでいるように見えるよう設けられており、ゲームの興趣を高めるように構成されている。
【００３３】
図２から図４に示すように、上部６７と下部５０の間には、背面側に引き込まれたように凹設された取付部７０が設けられている。各回転ディスク８０ａ〜ｅはこの取付部７０奥側に取り付けられている。円盤状の５つの回転ディスク８０ａ〜ｅは上下二列に取り付けられており、上列に３つの回転ディスク８０ａ，ｃ，ｅが、下列に２つの回転ディスク８０ｂ，ｄが取り付けられている。そして、各回転ディスク８０ａ〜ｅのそれぞれの回転軸８２ａ〜ｅは、相互に隣り合う回転ディスク８０ａ〜ｅにおいて三角形の頂点に位置するように配置されている。本特別図柄表示装置４０においては、まず回転軸８２ａ，ｂ，ｃが三角形の頂点に位置するように配置されており、さらに回転軸８２ｂ，ｃ，ｄ、回転軸８２ｃ，ｄ，ｅがそれぞれ三角形の頂点に位置するように配置されている。このようにして、本特別図柄表示装置４０では、判定区域７２〜７４は、隣り合う判定区域の数が最大で２箇所に収められている。
【００３４】
各回転ディスク８０ａ〜ｅは、その表面に、回転方向に沿って図柄「１，３，７，９，５，＄」がそれぞれ等角度をおいて描かれている。そして、回転ディスク８０ａ〜ｅのうち上列の３つの回転ディスク８０ａ，ｃ，ｅについては反時計回りに「１，３，７，９，５，＄」の順で図柄が描かれており、下列の２つの回転ディスク８０ｂ，ｄについては時計回りに「１，３，７，９，５，＄」の順で図柄が描かれている。そして、回転ディスク８０ａ〜ｅは、それぞれが独立して回転を開始・停止可能に遊技盤６背面側に取り付けられたモーター８４に軸着されている。
【００３５】
各回転ディスク８０ａ〜ｃの図柄が前述のように描かれることにより、例えば、判定区域７２において回転ディスク８０ａ，ｂ，ｃの図柄が「３」で揃い、判定区域７３において回転ディスク８０ｂ，ｃ，ｄの図柄が「７」で揃い、さらに、判定区域７４において回転ディスク８０ｃ，ｄ，ｅの図柄が「９」で揃うように設けるなど、判定区域７２〜７４毎に図柄を揃えることができる。
【００３６】
また、回転ディスク８０ａ〜ｅの正面側には、判定区域７２〜７４をそれぞれ区画する表示ライン部９０が設けられている。表示ライン部９０は、隣り合う回転ディスク８０ａ〜ｅの各回転軸８２ａ〜ｅを直線的に結ぶようにして３つの三角形を構成するように配置されている。また、表示ライン部９０の前面には、点灯・点滅が自在なＬＥＤ表示器９１が配設されている。そして、これらのＬＥＤ表示器９１は、判定区域７２〜７４毎に点灯・点滅が可能に構成されている。したがって、例えば、特定の判定区域毎に、リーチ時や当たり時にその判定区域の周囲のみＬＥＤ表示器９１を点灯・点滅させ、他の判定区域から明確に区別することができる。
【００３７】
なお、回転ディスク８０ａ〜ｅの回転軸８２ａ〜ｅの前面に該当する部位にもＬＥＤ表示器を設け、回転ディスク８０ａ〜ｅの回転中には点滅し、各回転ディスク８０ａ〜ｅの停止時には点灯するように設けることとしても良い。また、リーチ時にはＬＥＤの色が変更されてリーチであることを知らしめるように設けることとしても良い。
【００３８】
また、取付部７０の上方の上部６７の中央には、特別図柄表示装置４０の縦方向に回転軸を有し、水平方向に回転自在に設けられた表示体が備えられた抽選表示装置９５が配設されている。表示体は、回転軸９４を中心にして水平周回方向において、３つの抽選態様を示す表示面が等角度に３つそれぞれ配設されており、リーチ、大当たり、確率変動などのゲーム進行内容をそれぞれの表示面によって明示可能に設けられている。そして、この表示体の正面側には、開閉自在のシャッター９７が設けられている。シャッター９７はゲーム進行上、適時に開閉されるように設けることが可能であり、例えば、いわゆる「リーチ」状態及び当たり時において開けられ、それ以外には閉ざされるようにしたり、回転ディスク８０ａ〜ｅの回転時に合わせて開かれるように設けることとしたり、あるいは、ゲーム進行時内において、適時に開閉を繰り返させて興趣を高めたりすることなどができる。なお、表示体は３つの表示面を持つものに限られず、他の数の表示面を持つものでも良く、例えば、４つ以上の表示面を備えて４つ以上当たりの態様を示すものでも良い。
【００３９】
このように構成された特別図柄表示装置４０においては以下のように始動〜特別遊技状態のゲーム進行が行われる。まず最初に、弾発された遊技球が、直接にまたはワープ入口４６ａ，ｂを経由するなどして始動入賞口１６に入賞すると回転ディスク８０ａ〜ｅが回転始動する。図示しない裏機構盤に取り付けられた中央制御装置等により抽選が行われ「外れ」の場合には、各判定区域７２〜７４のそれぞれにおいて図柄が揃うことなく回転ディスク８０ａ〜ｅが停止される。一方「当たり」となると、各判定区域７２〜７４の少なくともいずれかの図柄が揃うように回転ディスク８０ａ〜ｅが順次回転を停止していく。
【００４０】
より詳細には、例えば、まず最初に回転ディスク８０ａ，ｂが回転を停止する。この際に、判定区域７２においては回転ディスク８０ａ，ｂの図柄が「３」で揃った場合には、判定区域７２内の回転ディスク８０ｃの図柄が同じく「３」で停止する場合に当たりとなるいわゆる「リーチ」状態となる。次いで回転ディスク８０ｄ，ｅが回転を停止する。この際に、例えば、判定区域７４において回転ディスク８０ｄ，ｅの図柄が「９」で揃った場合には、判定区域７４内の回転ディスク８０ｃの図柄が同じく「９」で停止する場合に当たりとなる「リーチ」状態となる。さらに、判定区域７３内の回転ディスクｂ，ｄの図柄が例えば「７」で揃った場合にも、判定区域７３内の回転ディスクｃの図柄が同じく「７」で停止する場合に当たりとなる「リーチ」状態となる。
【００４１】
判定区域７２〜７４における「リーチ」状態及び当たりは、各判定区域７２〜７４単独で成立するものとしても良く、また、２つの判定区域や３つの判定区域において同時に成立するものとしても良い。そしてまた、判定区域の一つが当たりとなった場合には「小当たり」とし、２つの判定区域で当たりとなった場合には「大当たり」とし、３つの判定区域で当たりとなった場合には、「確率変動を伴った大当たり」とするなど、図柄が揃って当たりとなった判定区域の数によって当たりの種類を変えても良い。また、例えば判定区域７３が揃った場合には「確率変動を伴った大当たり」とするなど特定の判定区域の図柄が揃って当たりとなる場合に当たりの種類を変えるものとしても良い。
【００４２】
また、回転ディスク８０ａ〜ｅの停止順序は前述に限られず他の順序でも良く、例えば、以下のように停止させても良い。まず最初に回転ディスク８０ａ，ｂが回転を停止する。この際に、判定区域７２における回転ディスク８０ｃの図柄も「３」に揃った場合には、例えば少なくとも「小当たり」とする。さらに、この状態では、判定区域７３において回転ディスク８０ｂ，ｃの図柄は「７」で揃っており、判定区域７３内における「リーチ」動作後に、残りの回転ディスク８０ｄの図柄が判定区域７３内において「７」で停止すれば、判定区域７３内でも全ての図柄が「７」で揃い、この場合には例えば「大当たり」とする。さらに、判定区域７４において回転ディスク８０ｃ，ｄの図柄は「９」で揃っており、判定区域７４内における「リーチ」動作後に、残りの回転ディスク８０ｅの図柄が判定区域７４内において「９」で停止すれば、判定区域７４内でも全ての図柄が「９」で揃い、この場合には例えば確率変動を伴った「大当たり」とする。なお、判定区域７２〜７４のいずれが揃うかによる「小当たり」「大当たり」「確率変動を伴った大当たり」の区別は適宜に変更することが可能である。
【００４３】
また、前述のゲーム進行において、リーチ後には、上部６７の抽選表示装置９５のシャッター９７が開放され、表示体が回転し、「小当たり」、「大当たり」、確率変動を伴った「大当たり」毎に表示面のいずれかが正面側に向けられて停止され、いずれの「当たり」となったかが一目で理解できるように表示される。
【００４４】
また、回転ディスク８０ａ〜ｅの回転時にはＬＥＤ表示器９１が点滅し、回転が止まると点灯して、回転時を明確に示すように設けられている。さらに、リーチ時にはＬＥＤ表示器９１の点滅色を別の色に変えて、リーチ状態であることを明確に示すように設けられている。なお、リーチ動作時には、リーチ対象となっている各判定区域７２〜７４を囲むＬＥＤ表示器９１のみが特別な点滅動作を行い、また、各判定区域７２〜７４内の図柄が揃った場合にも図柄が揃った各判定区域７２〜７４を囲むＬＥＤ表示器９１のみがさらに特別な点滅動作を行うこととして、判定区域７２〜７４がどのようなゲーム進行状態となっているかが明確・簡易に理解できるように構成しても良い。
【００４５】
本発明は前述した風車装置４０ａの構成に限定されるものではなく、本各発明の範囲内で種々の変更が可能である。例えば、前述の例では回転ディスク８０ａ〜ｅの停止順序を「回転ディスク８０ａ，ｂ」→「回転ディスク８０ｃ」→「回転ディスク８０ｄ」→「回転ディスク８０ｅ」としたが、これに限らず、例えば、回転ディスク８０ａ〜ｅの順に一つずつ停止させたり、「回転ディスク８０ｅ，ｄ」→「回転ディスク８０ｃ」→「回転ディスク８０ｂ」→「回転ディスク８０ａ」の順に停止させたり、「回転ディスク８０ｂ，ｄ」→「回転ディスク８０ｃ」→「回転ディスク８０ａ」→「回転ディスク８０ｅ」の順に停止させるなど、種々の変更が可能である。また、「小当たり」、「大当たり」、「確率変動を伴った大当たり」のいずれの当たり態様とするかについて、判定区域７２〜７４のうちのいくつが図柄が揃ったかとする条件は、前述例から変更することが可能である。また、「当たり」態様の区別を、判定区域７２〜７４の図柄がいずれの図柄で揃うかなど、判定区域７２〜７４の図柄の種別に応じて変更することも可能である。  
【００４６】
また、前述の特別図柄表示装置４０では、上列の３つの回転ディスク８０ａ，ｃ，ｅについては反時計回りに「１，３，７，９，５，＄」の順で図柄が描かれ、下列の２つの回転ディスク８０ｂ，ｄについては時計回りに「１，３，７，９，５，＄」の順で図柄が描かれているが、これと逆に、上列の３つの回転ディスク８０ａ，ｃ，ｅについては時計回りに「１，３，７，９，５，＄」の順で図柄が描かれるようにして、下列の２つの回転ディスク８０ｂ，ｄについては反時計回りに「１，３，７，９，５，＄」の順で図柄が描かれるように構成しても良い。
【００４７】
また、回転ディスク８０ａ〜ｅは正面視真円状の円盤状に形成されているものを用いているがこれに限られず表面に図柄が記載可能で回転可能に取り付けられるものであれば他の形状でも良く、例えば、楕円形状、多角形状や星形に形成された板状のものでも良い。また、板状以外のものでも良い。また、図柄は数字に限らず、記号・絵など複数の図柄を識別できるものであれば良い。
【００４８】
また、回転ディスクは５つ備えることに限られず、４つを備えるものや６つ以上備えるものとしても良い。例えば、図５に示すように、４つの回転ディスク８０ａ〜ｄを備えるものとして、２つの判定区域を利用して「当たり」の種類を定める等としても良い。また逆に６つ以上の回転ディスクを備えるものとして、４つ以上の判定区域を利用して「当たり」の種類を定める等としても良い。
【００４９】
表示ライン部９０では、前述の例に限られず、判定区域７２〜７４内のみを正面側に露呈し、その他の部位を隠すような形状に設けても良い。またこれとは逆に、表示ライン部９０を透明または半透明として、表示ライン部９０の後方の回転ディスク８０ａ〜ｅを透視可能に設けても良い。また、表示ライン部９０は、判定区域７２〜７４を区画する形状、すなわち背面側において停止される各回転ディスク８０ａ〜ｅの図柄を明確に認識できる形状に設けられていれば良く、必ずしも回転軸８２ａ〜ｅを直線的に結ぶ形状として三角形状に形成することに限られない。よって例えば、「おむすび」の外形のように緩やかな湾曲線状に構成しても良い。
【図面の簡単な説明】
【００５０】
【図１】本発明の特別図柄表示装置を用いたパチンコ機の正面図である。
【図２】特別図柄表示装置の正面図である。
【図３】特別図柄表示装置の斜視図である。
【図４】図２の特別図柄表示装置のＡ−Ａ線断面図である。
【図５】別の特別図柄表示装置の要部拡大正面図である。
【符号の説明】
【００５１】
１；機枠、２；本体、３；パチンコ機、４；前面枠、５；ガラス扉枠、６；遊技盤、７；前面扉、８；球受け皿、９；余剰球受け皿、１０；操作ハンドル、１２；ガイドレール、１３；遊技領域、１６；始動入賞口、１７ａ，１７ｂ；開閉翼片、１８；可変大入賞口装置、１９；開口部、２０；開閉扉、３４；一般入賞口、４０；特別図柄表示装置、４２；本体、４３；外周部、４４ａ，ｂ；両側部、４６ａ，ｂ；ワープ入口、４７ａ，ｂ；ワープ通路、４８ａ，ｂ；誘導通路、５０；下部、５１；入賞口誘導窓口、５２；スロープ、５４；第３スロープ部、５５；第２スロープ部、５６；第１スロープ部、５７；立壁部、５８；ワープ流下口、６０；誘導溝、６１；下部パネル、６２ａ，ｂ；サイドレンズ、６３ａ，ｂ；保留ランプ、６４ａ，ｂ；点灯部、６５ａ，ｂ；点灯部、６７；上部、７０；取付部、７２〜７４；判定区域、８０ａ〜ｅ；回転ディスク、８２ａ〜ｅ；回転軸、８４；モーター、９０；表示ライン部、９１；ＬＥＤ表示器、９５；抽選表示装置、９７；シャッター。
【図１】
2009189675.tif 000003
【図２】
2009189675.tif 000004
【図３】
2009189675.tif 000005
【図４】
2009189675.tif 000006
【図５】
2009189675.tif 000007